(57)【要約】【課題】スピーカへの防水、防湿を高め、外部からの水や異物の浸入を低減し、小型スピーカでも十分な可聴とした洗濯機を提供すること。【解決手段】音を発生するスピーカ８と、本体１の上方に配置された操作パネル２と、操作パネル２の裏側に設けられ、スピーカ８を収容するスピーカ収容部９とを備え、スピーカ収容部９は、スピーカを取付ける第１収容ケース９ａと、スピーカ８の後方空間１０を形成する第２収容ケース９ｂとを含み、第１収容ケース９ａ及び第２収容ケース９ｂの嵌合部９ｃは階段状に形成される。これにより、操作パネル２上に放音孔を設けない構成であっても、スピーカ８からの音や音声を大きくすることできる。このため、水の浸入を防止することができる。【選択図】図２
2014054405.tif 000002
【特許請求の範囲】
【請求項１】
音を発生するスピーカと、
本体の上方に配置された操作パネルと、
前記操作パネルの裏側に設けられ、前記スピーカを収容するスピーカ収容部とを備え、
前記スピーカ収容部は、前記スピーカの後方に位置する後方空間を含み、
前記後方空間の外周は、前記スピーカの外周より大きい空間である洗濯機。
【請求項２】
前記スピーカ収容部は、前記スピーカを取付ける第１収容ケースと、前記後方空間を形成する第２収容ケースとを含み、
前記第１収容ケース及び前記第２収容ケースの嵌合部は階段状に形成される請求項１に記載の洗濯機。
【請求項３】
前記操作パネルは、操作側が正面側の上方に傾斜して配置され、
前記スピーカは、前記操作パネルと略平行に配置されて、後方下向きに音を出力する請求項１または２に記載の洗濯機。
【請求項４】
前記スピーカ収容部は、一端に前記操作パネルとの係合部が設けられ、他端に締結部が設けられ、前記一端および前記他端に直交する両端部には、前記操作パネルと接触する突起部が設けられた請求項１〜３のいずれか１項に記載の洗濯機。
【発明の詳細な説明】
【技術分野】
【０００１】
本発明は音での報知を行う洗濯機に関する。
【背景技術】
【０００２】
従来より、操作の案内や警告を音声で行う洗濯機が提案されている。この種の洗濯機は、洗濯機外枠と、前記外枠前方に配置した放音孔を有する前方パネルと、前記外枠上方を覆う上カバーをそなえ、前記前方パネル内にスピーカ取付ケースを配設し、スピーカ取付ケース内部にスピーカが設置されている。（例えば、特許文献１参照）
図７は従来の洗濯機を示す外観斜視図である。図８は同洗濯機の部分外観斜視図および要部平面図である。図９は同洗濯機のスピーカの部分断面図である。図１０は同洗濯機のスピーカの部分断面図である。以下、図を用いてその構成を説明する。
【０００３】
図７において、洗濯機外枠１０１の上部には上カバー１０５が設けられる。洗濯機外枠１０１の正面側には、開閉自在に蓋１０４が配置される。洗濯機外枠１の正面側の上方には、洗濯機の操作並びに表示を行うパネル１０２が設けられる。
【０００４】
図８に示すように、上カバー１０５の前方に設けられたパネル１０２の内部には、音や音声を発生するスピーカ１２５が設けられる。その音声は、前方パネル１０２の表面に形成された放音孔１０９から前方に向けて放音される。
【０００５】
図８および図９を用いて、スピーカ１２５の平面配置が説明される。パネル１０２の裏側には、スピーカ１２５を係着するスピーカ取付ケース１２７が設けられる。スピーカ取付ケース１２７は、断面が略Ｌ字状に形成される。スピーカ１２５は、Ｌ字状の一端部側に設けられており、一端部から断面略Ｌ字状のケース１３０は、前方パネル１０２の放音孔１０９に側面開口部１３２を指向させて、ネジ１０７にて前方パネル１０２の内方より固定される。
【０００６】
図１０により、スピーカ１２５とスピーカ取付ケース１２７との取付構成が説明される。断面略コ字状のスピーカ取付ケース１２７は、コ字の開放部分を正面側下方（図９でいう左下方）に向けて配される。スピーカ取付ケース１２７の開放部分には、スピーカ１２５が、その振動板（コーン紙）１２６が下方となるように向けて取り付けられる。スピーカ取付ケース１２７は、周縁部に一体形成されたＬ字係止辺１２９にスピーカ１２５の外周部を係着し、略１８０度対向位置に形成した弾性を有するＬ型突起１２８の弾性を利用してスピーカ１２５の他端外周部を係止する。
【０００７】
このような流れにて前工程でスピーカ１２５とスピーカ取付ケース１２７が組み立てられた後、ケース１３０の上部開口部１３１側からネジ１１０により、スピーカ取付けケース１２７が固定される。
【０００８】
よって、図９に示したように、スピーカ１２５は、前方パネル１０２に略垂直に保持されるので、振動板（コーン紙）１２６は略断面Ｌ字状のケース１３０の側面開口部１３２とは角度略９０度傾斜した構成となる。
【０００９】
一方、略断面Ｌ字状のケース１３０の側面開口部１３２には、複数条のスリット形状１０８ａが設けられたカバー１０８が取り付けられる。カバー１０８は、側面開口部１３２の周縁部１３２ａと、前方パネル１０２の放音孔１０９の周囲の内方に一体形成された円筒状リブ１０２ａとの間に挟持して取り付けられる。カバー１０８の外周部１０８ｂは筒
状に形成され、前方パネル１０２の円筒状リブ１０２ａに挿入される。よって、放音穴となる側面開口部１３２と、前方パネル１０２の放音孔１０９と、カバー１０８のスリット形状１０８ａとは、平面位置を合致させて洗濯機の前方を指向するよう配置される。
【先行技術文献】
【特許文献】
【００１０】
【特許文献１】特開２００９−０５６２１５号公報
【発明の概要】
【発明が解決しようとする課題】
【００１１】
しかしながら、このような従来の洗濯機の音声報知構成では、スピーカ１２５の発生した音声を効率良く機外に報知するための放音孔１０９必要であり、電気部品であるスピーカへの防水、防湿の信頼性は十分ではないという課題を有していた。
【００１２】
また、前面パネル１０２に放音孔１０９が設けられると、前面パネル１０２の外観のデザイン性が損ねわれていた。
【００１３】
本発明は、上記従来の課題を解決するもので、デザイン性を向上し、防水性の高い音声報知を行う洗濯機を提供することを目的としている。
【課題を解決するための手段】
【００１４】
前記従来の課題を解決するために、本発明の洗濯機は、音を発生するスピーカと、
本体の上方に配置された操作パネルと、
前記操作パネルの裏側に設けられ、前記スピーカを収容するスピーカ収容部とを備え、
前記スピーカ収容部は、前記スピーカの後方に位置する後方空間を含み、
前記後方空間の外周は、前記スピーカの外周より大きい空間であるものである。
【００１５】
これによって、操作パネル上に放音孔を設けない構成であっても、スピーカからの音や音声を大きくすることできる。このため、水の浸入を防止することができる。さらに、操作パネルに開口部を持たないので、デザイン性が向上される。
【発明の効果】
【００１６】
本発明の洗濯機の音報知構成によれば、電気部品であるスピーカへの防水、防湿性を高め、デザイン性を向上させるとともに、容易に音圧を確保することができ、小型スピーカでも十分な可聴が可能な洗濯機を提供することができる
【図面の簡単な説明】
【００１７】
【図１】本発明の実施の形態１における洗濯機の外観斜視図および要部平面図
【図２】同洗濯機のスピーカの要部側断面図
【図３】同洗濯機のスピーカ収容部の要部側断面図
【図４】図１に示す洗濯機のＢ−Ｂ断面図
【図５】図１に示す洗濯機のＣ−Ｃ断面図
【図６】本発明の実施の形態２におけるスピーカ収容部の嵌合部拡大図
【図７】従来の洗濯機の外観斜視図
【図８】従来の洗濯機の部分外観斜視図および要部平面図
【図９】従来の洗濯機のスピーカの部分断面図
【図１０】従来の洗濯機のスピーカの部分断面図
【発明を実施するための形態】
【００１８】
本発明の洗濯機は、
音を発生するスピーカと、
本体の上方に配置された操作パネルと、
前記操作パネルの裏側に設けられ、前記スピーカを収容するスピーカ収容部とを備え、
前記スピーカ収容部は、前記スピーカの後方に位置する後方空間を含み、
前記後方空間の外周は、前記スピーカの外周より大きい空間であるものである。
【００１９】
これによって、操作パネル上に放音孔を設けない構成であっても、スピーカからの音や音声を大きくすることできる。このため、水の浸入を防止することができる。さらに、操作パネルに開口部を持たないので、デザイン性が向上される。
【００２０】
上記構成において、前記スピーカ収容部は、前記スピーカを取付ける第１収容ケースと、前記後方空間を形成する第２収容ケースとを含み、
前記第１収容ケース及び前記第２収容ケースの嵌合部は階段状に形成されることとしてもよい。
【００２１】
これにより、第１収容ケースと第２収容ケースとの接触が強固になるので、嵌合部からの音の漏洩を防ぐことができる。このため、スピーカの後方空間の音圧を確保することが可能になる。よって、放音孔を設けなくても音が大きく聞こえるため、放音孔からの水の浸入を防ぐことができる。さらに、操作パネルと周囲の嵌合隙間からの水浸入時の防水性を向上させることができる。
【００２２】
上記構成において、前記操作パネルは、操作側が正面側の上方に傾斜して配置され、
前記スピーカは、前記操作パネルと略平行に配置されて、後方下向きに音を出力することとしてもよい。
【００２３】
これにより、万一、嵌合隙間から水が浸入した場合にも、スピーカは下方に向いているため、水に接触する可能性を低くすることができる。よって、スピーカが直接外方に向く構成ではないため、外部からの損傷の可能性を低減できる。
【００２４】
上記構成において、前記スピーカ収容部は、一端に前記操作パネルとの係合部が設けられ、他端に締結部が設けられ、前記一端および前記他端に直交する両端部には、前記操作パネルと接触する突起部が設けられた構成としてもよい。
【００２５】
これにより、部品点数を減らしつつ、突起部により効果的に異音を防止することが可能となる。このため、スピーカからの音を鮮明にすることが可能になる。
【００２６】
以下、本発明の実施の形態について、図面を参照しながら説明する。なお、以下の説明で用いられる「上」、「下」、「左」や「右」などの方向を表す用語は、単に、説明の明瞭化を目的とする。したがって、これらの用語は、乾燥装置の原理を何ら限定するものではない。また、この実施の形態によって本発明が限定されるものではない。
【００２７】
（実施の形態１）
図１は本発明の実施の形態１における洗濯機の外観斜視図および要部平面図である。図１（ａ）に示すＡの拡大図が図１（ｂ）である。図２は同洗濯機のスピーカの要部側断面図である。図３は同洗濯機のスピーカ収容部の要部側断面図である。図４は、同洗濯機のスピーカ収容部と前面パネルの干渉関係の部分断面図である。
【００２８】
図１において、本体１の上方には、上カバー５が載置される。本体１の正面側には、正面壁２０が設けられる。本体１の正面側で、かつ、正面壁２０の中央には開閉自在の蓋４が設けられる。
【００２９】
本体１の正面側の上方には、洗濯機の操作並びに表示を行う操作パネル２が設けられる。操作パネル２は、正面壁２０の上部かつ、上カバー５の正面側に、操作側が上方となるように傾斜して設けられる。上カバー５の後部には洗濯水を供給する給水弁に接続した給水ホース３が配管される。給水ホース３は、後方の家屋の壁７に設置された水道給水蛇口６に接続される。
【００３０】
使用者は、蓋４を開閉して衣類を洗濯機の内部から出し入れする。また、使用者は、操作パネル２の操作により制御装置への運転信号の入力をしたり、運転状況や設定状況の確認をしたりできる。このとき、表示とともに音により案内や注意等が報知されるので、誤操作が少なく使い勝手の優れた構成となる。
【００３１】
図２に示すように、操作パネル２の背面側となる裏側には、スピーカ８を収容するスピーカ収容部９が設けられている。スピーカ収容部９は、音や音声を発生するスピーカ８を収容する。スピーカ８からの音は、矢印Ｄ１、Ｄ２のように操作パネル２および上カバー５、操作パネル２および正面壁２０の嵌合隙間より放音される。スピーカ収容部９は、２つ以上の複数の部材から構成される。すなわち、スピーカ収容部９は、第１収容ケース９ａおよび第２収容ケース９ｂを有する。スピーカ８を取り付ける第１収容ケース９ａは、スピーカ８の後方から第２収容ケース９ｂに固定される。第２収容ケース９ｂは、ネジ１７およびツメ１２により、操作パネル２に固定される。
【００３２】
第１収容ケース９ａおよび第２収容ケース９ｂの嵌合部９ｃには、互いに入り込む第１リブ９ｄ、第２リブ９ｅが設けられる。よって、嵌合部９ｃは、階段状に形成される。図３に示すように、勘合部９ｃは、互いに突出する第１リブ９ｄ、第２リブ９ｅが相手側の第１底部９ｆ、第２底部９ｇと接触するので、より機密性が高い構造となる。すなわち、第１収容ケース９ａの第１リブ９ｄは、第２収容ケース９ｂの第２底部９ｇと接触する。第２収容ケース９ｂの第２リブ９ｅは、第１収容ケース９ａの第１底部９ｆと接触する。以上の構成により、嵌合部９ｃは、より接触しやすい、機密性の高い構造となる。
【００３３】
さらに、嵌合部９ｃは、第１リブ９ｄから第１底部９ｆにかけて傾斜する第１傾斜面９ｈを含む。同様に、嵌合部９ｃは、第２リブ９ｅから第１底部９ｇにかけて傾斜する第２傾斜面９ｉを含む。第１傾斜面９ｈおよび第２傾斜面９ｉは接していない。このため、嵌合部９ｃは、底部、傾斜面、リブにより形成される空間部を有する。また、嵌合部９ｃは階段状に構成されており、直線的な機密構造でない。このために、嵌合部９ｃは音が漏れにくい構造となっている。よって、スピーカ収容部９内に音がこもり、音を届ける方向に音を届けることができる。この結果、放音孔を設けることなく使用者に対し音を認識させることができる。
【００３４】
図４の部分断面図によりスピーカ８の取付構成を以下説明する。
【００３５】
図４において、スピーカ８は、音声を発生する振動板（コーン紙）１４を含む。振動板１４は、背面側となる後方下向きとなるように配設される。スピーカ８は、振動板１４がスピーカ８よりも背面側で、かつ、下方に位置するように設けられる。これにより、振動板１４およびスピーカ収容部９により形成される後方空間１０にこもった音が、矢印Ｓのように本体１の後方下向きへと発せられる。第２収容ケース９ｂは、スピーカ８を正面側から背面側に向けて被覆する。第２収容ケース９ｂは、正面となる外側から、ネジ１１により第１収容ケースと固定される。
【００３６】
以下、スピーカ８と第１収容ケース９ａの取付構成が説明される。
スピーカ８は、開放部分となる開口部１３が背面側下方に向けて配される。開口部１３と
対向する部位には、振動板１４が傾斜して取付けられる。
【００３７】
第１収容ケース９ａは例えばプラスチック成型品で構成される。周縁部に一体形成したＬ字係止片１５ｂにスピーカ８の外周部が係着される。スピーカ８の略１８０°対向位置に形成されたＬ字突起１５ａは、スピーカ８の他端外周部を係合する。
【００３８】
これによって前工程でスピーカ８と第１収容ケースを組み立てておき、その後図４のようにスピーカ８後方側からネジ１１で固定する。よって、図２に示したように、スピーカ８は操作パネル２に略平行保持されるので、振動板１４は、第１収容ケース９ａの開口部１３と角度を略平行とした構成となる。
【００３９】
第１収容ケース９ａ、第２収容ケース９ｂの嵌合部９ｃは階段状に構成され、さらに３箇所のツメ１８とネジ１１で係止することにより浮きが防止される。これにより、簡易な構成で後方空間１０より音が漏れないように密閉される。
【００４０】
図５において、第２収容ケース９ｂには２箇所の突起部１６が設けられる。突起部１６は操作パネル２と干渉関係にあり、操作パネル２に押し当てられる。以上のように構成された洗濯機について、以下その動作、作用を説明する。
【００４１】
スピーカ８の振動板１４から発生した音は、後方空間１０にて拡大され、図２にて示す矢印Ａのように放音される。矢印Ｄ１、Ｄ２のように操作パネル２、上カバー５、本体１との嵌合隙間より機外に伝達される。
【００４２】
また、スピーカ８は、操作パネル２と略平行に配置され、後方下向きとなる反対側に指向するように取り付けられる。よって、操作パネル２周囲の嵌合隙間より水等が浸入しても、スピーカ８への浸入の可能性は低減される。
【００４３】
以上のように、本実施の形態においては、操作パネル２に放音穴を設けないため、水や洗剤の浸入を防止でき、音発生の振動板１４が操作パネル２と反対側を向くため、外部からの損傷の可能性を低減できる。
【００４４】
さらに、操作パネル２に放音孔を設けず、操作パネル２後方へ音を放音することにより、放音穴からの水浸入を完全に防止できるので、浸入した水により音が消音や減音するといったことがない。また、スピーカ８等の電気部材の絶縁劣化という不安全も発生しなくなり、安定した音報知ができる。また、放音孔が設けられない構成であるため、外観上の見栄えが優れた洗濯機となる。
【００４５】
また、スピーカ収容部９の第２収容ケース９ｂに突起部１６を設け、操作パネル２に干渉関係で押し当てることにより、振動が低減される。よって振動に起因する異音が防止される。
【００４６】
さらに、スピーカの音圧確保には、後方空間１０の大きさと気密性が重要である。第１収容ケース９ａ、第２収容ケース９ｂの嵌合部９ｃは階段状に形成され、かつ、ツメ１８とネジ１１で収容ケースの浮きが防止される。このため、気密性の高い後方空間１０が形成される。
【００４７】
また、後方空間１０の外周は、スピーカ８の外周より大きい。後方空間１０がスピーカ８よりも大きく構成されるために、後方空間１０にて音の共振作用により音圧確保が容易となる。以上より、スピーカ８が小型であっても、また、操作パネル２上に放音孔が設けられない構成であっても、十分にスピーカ８の機能が発揮される。
【００４８】
以上のように、洗濯機の音報知構成は、音報知を使用者に認知しやすくし、外部からの水や異物の浸入を防止することができたので、スピーカを小型化しても十分に音圧を確保することができる。
【００４９】
（実施の形態２）
図６は本発明の第２の実施の形態における洗濯機のスピーカ収容部の嵌合部の要部拡大図である。実施の形態１とは、スピーカ収容部９の嵌合部９ｃの形状が異なる。その他の構成は実施の形態１を援用する。以下、異なる点が説明される。
【００５０】
第１収容ケース５９ａおよび第２収容ケース５９ｂの嵌合部５９ｃには、互いに入り込む第１リブ５９ｄ、第２リブ５９ｅが設けられる。よって、嵌合部５９ｃは、階段状に形成される。図３に示すように、勘合部５９ｃは、互いに突出する第１リブ５９ｄ、第２リブ５９ｅが相手側の第１底部５９ｆ、第２底部５９ｇと接触するので、より機密性が高い構造となる。すなわち、第１収容ケース５９ａの第１リブ５９ｄは、第２収容ケース５９ｂの第２底部５９ｇと接触する。第２収容ケース５９ｂの第２リブ５９ｅは、第１収容ケース５９ａの第１底部５９ｆと接触する。以上の構成により、嵌合部５９ｃは、より接触しやすい、機密性の高い構造となる。
【００５１】
さらに、嵌合部５９ｃは、第１リブ５９ｄおよび第１底部５９ｆに直交する第１直交面５９ｈを含む。同様に、嵌合部５９ｃは、第２リブ５９ｅから第１底部５９ｇにかけて直交する第２直交面５９ｉを含む。第１直交面５９ｈおよび第２直交面５９ｉは接していない。このため、嵌合部５９ｃは、底部、直交面、リブにより形成される空間部を有する。また、嵌合部５９ｃは階段状に構成されており、直線的な機密構造でない。このために、嵌合部５９ｃは音が漏れにくい構造となっている。よって、スピーカ収容部５９内に音がこもり、音を届ける方向に音を届けることができる。この結果、放音孔を設けることなく使用者に対し音を認識させることができる。
【産業上の利用可能性】
【００５２】
以上のように、本発明にかかる洗濯機は、スピーカを機器の前面に配置し外部からの異物を防止できたので、音声報知を行う家庭用の機器にも有用である。
【符号の説明】
【００５３】
１、５１  本体
２、５２  操作パネル
５  上カバー
８、５８  スピーカ
９、５９  スピーカ収容部
９ａ、５９ａ  第１収容ケース
９ｂ、５９ｂ  第２収容ケース
９ｄ、５９ｄ  第１リブ
９ｅ、５９ｅ  第２リブ
９ｆ、５９ｆ  第１底部
９ｇ、５９ｇ  第２底部
９ｈ  第１傾斜面
９ｉ  第２傾斜面
１０  後方空間
１１、１７  ネジ
１２、１８  ツメ
１３  開口部
１４  振動板（コーン紙）
１６  突起部
５９ｈ  第１直交面
５９ｉ  第２直交面
【図１】
2014054405.tif 000003
【図２】
2014054405.tif 000004
【図３】
2014054405.tif 000005
【図４】
2014054405.tif 000006
【図５】
2014054405.tif 000007
【図６】
2014054405.tif 000008
【図７】
2014054405.tif 000009
【図８】
2014054405.tif 000010
【図９】
2014054405.tif 000011
【図１０】
2014054405.tif 000012